(57)【要約】【課題】  載置状態を安定させた携帯情報端末、及び撮像装置を提供する【解決手段】  本発明の携帯情報端末は、長手方向の一方側に設けられたバッテリー（１３１）を覆うカバー（１２１）と、カバーが設けられた側のカバー面（１３１ａ）における長手方向の他方側に複数の撮像手段（１４２、１４３）を備えた携帯情報端末（１００）であって、携帯情報端末の短手方向の一方側に前記複数の撮像手段が設けられ、前記複数の撮像手段のレンズの周りに前記カバー面よりも凸となる第１のリブ（１４１）を設け、前記携帯情報端末の長手方向の他方側、かつ、短手方向の他方側に、前記カバー面よりも凸となる第２のリブ（１５１）を設けたことを特徴とする。【選択図】図１
2020071290.tif 000002
【特許請求の範囲】
【請求項１】
長手方向の一方側に設けられたバッテリーを覆うカバーと、前記カバーが設けられた側のカバー面における長手方向の他方側に複数の撮像手段を備えた携帯情報端末であって、
前記携帯情報端末の短手方向の一方側に前記複数の撮像手段が設けられ、前記複数の撮像手段のレンズの周りに前記カバー面よりも凸となる第１のリブを設け、
前記携帯情報端末の長手方向の他方側、かつ、短手方向の他方側に、前記カバー面よりも凸となる第２のリブを設けたことを特徴とする携帯情報端末。
【請求項２】
前記第２のリブは、他の複数の撮像手段のレンズの周りに設けられたことを特徴とする請求項１に記載の携帯情報端末。
【請求項３】
前記第１のリブの表面と前記第２のリブの表面は、前記カバー面と平行な同一平面内に設けられたことを特徴とする請求項２に記載の携帯情報端末
【請求項４】
前記第２のリブは、携帯情報端末の内側に向かって凹となっていることを特徴とする請求項１に記載の携帯情報端末。
【請求項５】
長手方向の一方側に設けられたバッテリーを覆うカバーと、前記カバーが設けられた側のカバー面における長手方向の他方側に複数の撮像手段を備えた撮像装置であって、
前記携帯情報端末の短手方向の一方側に前記複数の撮像手段が設けられ、前記複数の撮像手段のレンズの周りに前記カバー面よりも凸となる第１のリブを設け、
前記携帯情報端末の長手方向の他方側、かつ、短手方向の他方側に、前記カバー面よりも凸となる第２のリブを設けたことを特徴とする撮像装置。
【発明の詳細な説明】
【技術分野】
【０００１】
本発明は筐体内のバッテリーから電力を供給されて動作する携帯情報端末、撮像装置に関する。
【背景技術】
【０００２】
スマートフォンなどの撮像装置に使用されるカメラユニットは、要求される特性によって、画面側の反対のケース側に本体ケースよりも大きく出っ張ることがある。
【先行技術文献】
【特許文献】
【０００３】
【特許文献１】米国特許Ｄ７９６４４６９号公報
【発明の概要】
【発明が解決しようとする課題】
【０００４】
特許文献１のように、背面側の偏った方向に設けられたカメラユニットの周辺が凸となっていると、平らな面に載置したときに予期せぬ方向へ傾く可能性がある。
【課題を解決するための手段】
【０００５】
上記課題を解決するために、本発明の携帯情報端末は、長手方向の一方側に設けられたバッテリーを覆うカバーと、前記カバーが設けられた側のカバー面における長手方向の他方側に複数の撮像手段を備えた携帯情報端末であって、前記携帯情報端末の短手方向の一方側に前記複数の撮像手段が設けられ、前記複数の撮像手段のレンズの周りに前記カバー面よりも凸となる第１のリブを設け、前記携帯情報端末の長手方向の他方側、かつ、短手方向の他方側に、前記カバー面よりも凸となる第２のリブを設けたことを特徴とする。
【０００６】
上記課題を解決するために、本発明の撮像装置は、長手方向の一方側に設けられたバッテリーを覆うカバーと、前記カバーが設けられた側のカバー面における長手方向の他方側に複数の撮像手段を備えた撮像装置であって、前記撮像装置の短手方向の一方側に前記複数の撮像手段が設けられ、前記複数の撮像手段のレンズの周りに前記カバー面よりも凸となる第１のリブを設け、前記撮像装置の長手方向の他方側、かつ、短手方向の他方側に、前記カバー面よりも凸となる第２のリブを設けたことを特徴とする。
【発明の効果】
【０００７】
本発明のような構成にすると載置状態を安定させた携帯情報端末、及び撮像装置を提供することができる。
【図面の簡単な説明】
【０００８】
【図１】本実施例１における携帯情報端末１００の前面図、背面図、側面図。
【図２】本実施例１における携帯情報端末１００制御ブロック図。
【図３】本実施例２における携帯情報端末２００の前面図、背面図、側面図。
【図４】本実施例２における携帯情報端末２００制御ブロック図。
【発明を実施するための形態】
【０００９】
（実施例１）
以下に本発明の実施形態を、図面を参照して説明する。図１に本発明の実施の形態に係る携帯情報端末を示す。携帯情報端末であるハンディーターミナル等では、その場での印刷出力や無線通信による読取データの出力ができることが好ましい。保険査定業務では損害を受けた箇所を内蔵カメラで撮影し、写真つき現場データを直ちにシステム管理の本部へ携帯通信することができる。ハンディーターミナルとしては、受発注の入力支援、リアルタイムな入出庫管理や貨物追跡を行うことに用いることができる。
【００１０】
図１（ａ）は実施例１に係る携帯情報端末１００の正面図であり、図１（ｂ）は携帯情報端末１００の背面図、図１（ｃ）は、図１（ｂ）を左側から見た側面図、図１（ｄ）は、図１（ｂ）を右側から見た側面図である。
【００１１】
図１（ａ）に示す携帯情報端末１００の正面には携帯情報端末１００に出力された各種情報を表示する表示部１３１と携帯情報端末１００へ各種入力を行う入力キー１３２があり、タッチディスプレイを採用している場合は、表示装置と入力装置が張り合わされている。表示部１３１には、後述するカメラの撮影状況を表示してもよい。
【００１２】
図１（ｂ）に示す携帯情報端末１００の背面には、携帯情報端末１００に電力を供給するバッテリー１３３が設けられ、カバー部材１２１によって、第１のリブ１４１の周囲と、第２のリブ１５１の周囲と背面全体及び側面が覆われている。カバー部材１２１は、不図示の電源端子や入出力デバイスの接続端子等を覆わないように構成することもできる。カバー部材１２１は、必ずしも側面を覆う必要はなく、カバー部材１２１を筐体から外した場合に、少なくともバッテリー１３３が外部に露出しない位置に設けられていればよい。
【００１３】
本実施例においては、図１（ｃ）、（ｄ）に示すように、背面側の最表部となるカバー１２１のカバー面１２１ａよりも第１のリブ１４１が背面側に向かって凸となるように設けられている。第１のリブ１４１は、撮像手段であるカラーカメラ１４２のレンズ１４２ａ、モノクロカメラ１４３のレンズ１４３ａが外部と接触しないように、それぞれのレンズよりも凸となるように設けられている。第１のリブ１４１は、携帯情報端末の長手方向の一方側に設けられているバッテリーとは反対側の他方側、かつ、短手方向の一方側に設けられている。レンズ１４２ａ、１４３ｃには、プラスチックレンズを用いているため、カバー１２１と一体に成形された第２のリブ１５０は、左右の重量差を小さくするために、携帯情報端末の本体内側に向かって凹んだ形状としている。ガラスレンズや、撮像素子等が重い場合には、携帯情報端末の本体内側に向かって凸となる形状としてもよい。
【００１４】
第２のリブ１５０は、携帯情報端末の長手方向の一方側に設けられているバッテリー１３３とは反対側の他方側、かつ、短手方向の一方側とは反対側の他方側に設けられている。第１のリブ１４１と第２のリブ１５０は同一平面内に配置されるように高さが概ね同じに設けられている。第１のリブ１４１と第２のリブ１５０が携帯情報端末１００の長手方向の他方側に離れて複数設けられているため、第１のリブ１４１のみである場合に比べて、載置される平面に対して、載置安定性が増す。
【００１５】
図１（ｂ）の背面図に示すように、第１のリブ１４１と第２のリブ１５０は、カバー面１２１ａと平行な平面であって、第１のリブ１４１の表面と第２のリブ１５０の表面とが同一の平面となるように設けられている。
【００１６】
図２は本発明の実施の形態に係る携帯情報端末１００のハードウェア構成を示す構成図である。携帯情報端末１００は、本発明を適用しうる携帯情報端末１００である。撮像手段として携帯情報端末１００のカラーカメラ部１４２やモノクロカメラ部１４３で取り込んだ画像を、制御部１０１に入力する。ビデオアダプタ部１０２は、携帯情報端末１００の各構成の表示装置への入力情報を伝達し、操作入力部１０３は、携帯情報端末１００へ操作者からの入力情報を制御部１０１に伝達する。
【００１７】
制御部１０１は、ＣＰＵなどで構成される。メモリ部１１０は、ＢＩＯＳなどを格納したＲＯＭ、処理の一時保存を行うＲＡＭ、不揮発性記憶媒体であるＨＤＤ、小型軽量性に優れたフラッシュメモリや、ＳＳＤなどが特に好ましく用いられる。三次元のグラフィック情報を使用する際は、グラフィック専用のメモリを使用してもよいが、ＧＰＵをＣＰＵ内に格納しているものが好ましい。
【００１８】
メモリ部１１０は、制御部１０１の処理に関する様々な記憶を行い、制御部１０１に対するプログラムの格納や、処理の一時保存などを行う。携帯情報端末１００も、通常のパーソナルコンピュータと同様にＯＳがインストールされている。ＯＳやアプリケーションプログラム（アプリ）もメモリ部１１０に格納され、必要によって読み出され制御部１０１によって携帯情報端末１００の各機能を動作させている。ビデオアダプタ部１０２で出力される内容は、メモリ部１１０に格納されているもの、カラーカメラ部１４２やモノクロカメラ部１４３で撮像した画像や各種処理の選択画面などであり各々制御部１０１により処理し表示を行う。
【００１９】
図２の画像処理の機能は、制御部１０１の演算能力を使用し、メモリ部１１０の記憶領域を利用して処理を行う。プリンタ出力部１０４は、遠隔のプリンタへ印刷する情報を出力する。携帯情報端末１００の筐体内にプリンタを備えて出力することもできる。また、本実施の形態では、画像処理等についてアプリでの動作を例示したが、専用のハードウェアや画像処理回路を用いることもできる。
【００２０】
（実施例２）
図３（ａ）は実施例２に係る携帯情報端末２００の正面図であり、図１（ｂ）は携帯情報端末２００の背面図、図３（ｃ）は、図３（ｂ）を左側から見た側面図、図１（ｄ）は、図１（ｂ）を右側から見た側面図である。実施例１と同様な構成については、説明を省略する。
【００２１】
図３（ａ）に示す携帯情報端末２００の正面は実施例１と同様である。３Ｄ撮影にも対応できるように、複数のカラー用の撮像手段が視差を持つように離して配置されている。本実施例においては、図３（ｂ）に示すように背面側の最表部となるカバー１２１のカバー面１２１ａよりも第１のリブ１４１と同様に背面側に向かって凸となるように第２のリブ１５１が設けられている。第２のリブ１５１は、第２カラーカメラ１４２のレンズ、第２モノクロカメラ１４３のレンズが外部と接触しないように、それぞれのレンズよりも凸となるように設けられている。
【００２２】
第２のリブ１５１は、内周側の空間に第２カラーカメラ１５２のレンズ１５２ａ、第２モノクロカメラ１５３のレンズ１５３ａが収納されている以外は、実施例１の第２のリブ１５０と同様な配置となっている。第２のリブ１５１は、携帯情報端末２００の長手方向の一方側に設けられているバッテリー１３３とは反対側の他方側、かつ、短手方向の一方側とは反対側の他方側に設けられている。載置される平面に対して、第１のリブ１４１と第２のリブ１５１が携帯情報端末２００の長手方向の他方側に離れて複数設けられているため、載置安定性が増すとともに、第２カラーカメラ１５２、第２モノクロカメラ１５３によって３Ｄ撮影を行う際に必要となる保護部を利用することができる。
【００２３】
上述した実施例においては、携帯情報端末を例に説明したが、長手方向の一方側に設けられたバッテリーを覆うカバーが設けられた側のカバー面における長手方向の他方側に複数の撮像手段を備えた撮像装置等にも適応できる。
【符号の説明】
【００２４】
１００  携帯情報端末
１３３  バッテリー
１４１  第１のリブ
１４２  カラーカメラ部
１４３  モノクロカメラ部
１５０、１５２  第２のリブ
１５２  第２カラーカメラ部
１５３  第２モノクロカメラ部
【図１】
2020071290.tif 000003
【図２】
2020071290.tif 000004
【図３】
2020071290.tif 000005
【図４】
2020071290.tif 000006